(57)【要約】【課題】ケーブル引出し方向を任意に調整でき、配線する場所の状態等に合わせて円滑に配線できるケーブル引出し方向可変接栓を提供する。【解決手段】第１接栓体３０と第２接栓体４０を互いに回転可能に結合して接栓１００を構成する。第１接栓体３０は本体ケース３１の先端部に例えばナット形コネクタ３２を備え、第２接栓体４０は本体ケース４１の先端部に例えばネジ形コネクタ４２を備えている。上記第１接栓体３０の本体ケース３１及び第２接栓体４０の本体ケース４１は、接合面を４５度の角度で傾斜させて形成し、接合面の中心軸Ａ、Ｂを回転軸として３６０度回転できるように構成する。【選択図】図１
2010257696.tif 000002
【特許請求の範囲】
【請求項１】
第１接栓体と、前記第１接栓体の接合面に回転可能に設けられる第２接栓体とを具備し、
前記第１接栓体の接合面及び第２接栓体の接合面をそれぞれ中心軸に対して略４５度傾けて形成し、前記第１接栓体に対して前記第２接栓体を回転することでケーブル引出し方向を調整できるように構成したことを特徴とするケーブル引出し方向可変接栓。
【発明の詳細な説明】
【技術分野】
【０００１】
本発明は、ケーブル引出し方向を調整する機能を備えたケーブル引出し方向可変接栓に関する。
【背景技術】
【０００２】
従来、家屋の壁面等に設けられたテレビ端子から複数の電子機器（テレビ受信機、ビデオ録画装置など）にテレビ信号を分配、延長する場合、前記テレビ端子からテレビ信号をケーブルで延長しその先端に接続された分配器によりテレビ信号を分配することが行われている。前記の分配器の出力端子と前記電子機器の入力端子との間の高周波ケーブルの接続では、通常ケーブルの端部に接栓を設けて前記端子間を接続する（当該目的の分配器として、例えば特許文献１及び２を参照。）。上記接栓としては、端子に対して高周波ケーブルを直線状（１８０°）に接続するストレート形や、端子に対して高周波ケーブルを９０度の角度で接続するＬ形の接栓が使用される（例えば特許文献３を参照。）。
【０００３】
図９（ａ）、（ｂ）は、従来における分配器と接栓の接続形態を示す斜視図である。
【０００４】
図９（ａ）において、１０は分配器で、取付プレート１１の前面に複数例えば２つのテレビ信号の分配出力端子１２、１３が設けられている。また、取付プレート１１の側部の入力端子には高周波ケーブル１４がその先端に装着された接栓を介して接続される。上記高周波ケーブル１４のもう一方の端部に装着された接栓は、図示しないが家屋の壁面等に設けられたテレビ端子に接続される。
【０００５】
そして、上記分配器の分配出力端子１２、１３には、テレビ受信機等の電子機器からの高周波ケーブル２４に装着された接栓、例えばねじ込み式のストレート形接栓２１、差し込み式のストレート形接栓２２、差し込み式のＬ形（９０度）接栓２３等が接続される。またそれぞれ高周波ケーブル２４のもう一方の端部にも上記と同様に接栓が装着され、テレビ受信機等の電子機器の入力端子に接続される。
【０００６】
図９（ｂ）は、図９（ａ）に示した一方の分配出力端子１２に差し込み式のストレート形接栓２２を装着し、他方の分配出力端子１３に差し込み式のＬ形接栓２３を装着した状態を示している。
【０００７】
また、高周波ケーブル間を中継接続する中継接栓においても、ストレート形やＬ形の接栓形態が知られている。
【先行技術文献】
【特許文献】
【０００８】
【特許文献１】意匠登録第１１８３０４７号公報
【特許文献２】意匠登録第１１８３０４８号公報
【特許文献３】実用新案登録第３０６２２８６号
【発明の概要】
【発明が解決しようとする課題】
【０００９】
従来は、上記のような分配器１０に電子機器からの高周波ケーブル２４を接続する場合、予めストレート形接栓やＬ形接栓など複数種の接栓を用意し、配線環境、すなわち配線する場所やケーブルの引き回し方向に合わせて接栓２１〜２３の形状を選択して分配器１０に接続している。このような対応をとらない場合、ケーブル２４の引き回しの自由度が少なくなる共に、ケーブル２４を極端に折り曲げた際にはケーブル内部で芯線が断線する恐れが生じる。
【００１０】
本発明は上記の課題を解決するためのもので、屋内、屋外を問わずに接栓方向を任意に設定でき、配線する場所の状態等に合わせて円滑に配線できる高周波ケーブル用の終端部接栓及び中継接栓を提供することを目的とする。
【課題を解決するための手段】
【００１１】
本発明に係る接栓は、第１接栓体と、前記第１接栓体の接合面に回転可能に設けられる第２接栓体とを具備し、前記第１接栓体の接合面及び第２接栓体の接合面をそれぞれ中心軸に対して略４５度傾けて形成し、前記第１接栓体に対して前記第２接栓体を回転することでケーブル引出し方向を調整できるように構成したことを特徴とする。
【発明の効果】
【００１２】
本発明によれば、第１接栓体の軸に対して略４５度傾けた軸を持つ第２接栓体を回転可能に設けることにより、高周波の電気特性を安定に保ちつつ接栓方向を容易に調整することができ、また第１接栓体及び第２接栓体を防水構造とすることにより、屋内、屋外を問わずに使用することができる。
【図面の簡単な説明】
【００１３】
【図１】本発明の実施例１に係る接栓の構成例を示す側面図である。
【図２】同実施例１において、第１接栓体と第２接栓体の軸を一直線上に保持したときの状態を示す断面図である。
【図３】（ａ）は同実施例１に係る接栓の構成を示す分解斜視図、（ｂ）は接栓を組み立てた状態を示す斜視図である。
【図４】同実施例１に係る接栓において、第１接栓体と第２接栓体の相互回転における結合状態の詳細を第２接栓体を断面化して示した斜視図である。
【図５】同実施例１に係る接栓において、第１接栓体を固定した状態で第２接栓体を回転した場合の例を示す斜視図である。
【図６】同実施例１において、接栓を分配器に接続した場合の接続形態例を示す斜視図である。
【図７】本発明を適用した中継接栓の一例を示す斜視図である。
【図８】本発明を適用した中継接栓の他の一例を示す斜視図である。
【図９】従来における分配器と高周波ケーブル用の接栓の接続形態を示す斜視図である。
【発明を実施するための形態】
【００１４】
以下、本発明の実施の形態について図面を参照して詳細に説明する。
【実施例１】
【００１５】
図１は本発明を接栓１００に実施した場合の構成例を示し、（ａ）は第１接栓体と第２接栓体の軸を一直線上に保持したときの状態を示す側面図、同図（ｂ）は第１接栓体の軸と第２接栓体の軸の角度を９０度とした場合の状態を示す側面図である。
【００１６】
本発明の実施例１に係る接栓１００は、第１接栓体３０のＡ軸に対し第２接栓体４０のＢ軸を４５度傾けた状態で回転可能に結合し、接栓方向を任意に調整できるように構成したものである。
【００１７】
第１接栓体３０は本体ケース３１の先端部に例えばナット形コネクタ３２を備え、第２接栓体４０は本体ケース４１の先端部に例えばネジ形コネクタ４２を備えている。上記第１接栓体３０の本体ケース３１及び第２接栓体４０の本体ケース４１は、接合面を４５度の角度で傾斜させて形成しており、接合面の中心軸Ａ、Ｂを回転軸として３６０度回転できるように構成している。
【００１８】
以下、上記接栓１００の詳細を図２及び図３（ａ）、（ｂ）を参照して説明する。図２は第１接栓体３０と第２接栓体４０の軸を直線の状態としたときの断面図、図３（ａ）は接栓１００の構成を示す分解斜視図、同図（ｂ）は接栓１００を組み立てた状態を示す斜視図である。
【００１９】
第１接栓体３０の本体ケース３１は、略円筒状に形成され、一方の端部に第２接栓体４０と接合する接合面３１１が設けられる。この接合面３１１は、中心軸に対して４５度の角度で傾斜して形成され、その中心部に円筒状の結合用突部３１２が設けられる。この結合用突部３１２は、接合面３１１に対して垂直となるように突出して設けられ、その先端外周に係合片３１３を備えている。この係合片３１３は、円板の両側を切欠した略小判形の形状となっている。また、接合面３１１には、結合用突部３１２の外周に位置するように略楕円形の溝３１４が一定の深さに形成され、第２接栓体４０と接合する際に溝３１４に防水パッキン３３が位置するようにしている。上記溝３１４の深さは、例えば防水パッキン３３の厚さの１／２程度に設定される。
【００２０】
また、上記本体ケース３１は、他方の端部が開口しており、この開口部の内側にネジ溝（図示せず）が形成され、このネジ溝にナット形コネクタ３２が螺着される。
【００２１】
上記ナット形コネクタ３２は、略円筒状に形成されたナット保持体３２１の先端部にＯリング３２２を介してナット３２３が装着され、上記Ｏリング３２２により防水構造となっている。
【００２２】
上記ナット保持体３２１は、ナット装着端とは反対側の端部外周にネジ部３２４が形成され、防水パッキン３４を介在して本体ケース３１に螺着される。上記ナット保持体３２１は、中央部外周がリング状に突出して形成され、その外周部位に１８０°の間隔で、すなわち対称となる２つの位置にスパナ掛け３２５が設けられる。
【００２３】
また、本体ケース３１及びナット保持体３２１の内側には、中心ピン保持構体３５ａ、３５ｂが装着される。中心ピン保持構体３５ａ、３５ｂは対をなしており、絶縁体により本体ケース３１及びナット保持体３２１の内側形状に合わせて形成され、内側中心軸に沿って形成した溝３５１により中心ピン３６を保持する。上記溝３５１は、中心ピン３６の形状に合わせて形成される。また、中心ピン保持構体３５ａ、３５ｂは、本体ケース３１の接合面３１１側に位置する端部３５２が結合用突部３１２内に挿入されるように所定の角度で突出して形成される。
【００２４】
上記中心ピン保持構体３５ａ、３５ｂには、相対向する面に複数の結合突起（図示せず）及び結合穴３５３が対応して設けられ、結合突起を結合穴３５３に圧入することによって一体に結合される。
【００２５】
上記中心ピン３６は、中心ピン保持構体３５ａ、３５ｂの両端部から所定長さ突出して形成され、ナット形コネクタ３２側に突出した先端部は該ナット形コネクタ３２内の中心軸に沿って位置する。また、本体ケース３１の接合面３１１側に位置する中心ピン３６の先端部は、結合用突部３１２の中心軸に沿って位置するように折り曲げられ、かつ、結合用突部３１２の先端から所定長さ突出して設けられる。
【００２６】
一方、第２接栓体４０の本体ケース４１は、本体ケース３１と同じ直径の円筒状に形成され、一方の端部に第１接栓体３０と接合する接合面４１１が設けられる。この接合面４１１の中央には、略楕円形状の結合穴４１２が設けられ、この結合穴４１２より、上記第１接栓体３０の本体ケース３１に設けられた結合用突部３１２及び係合片３１３が本体ケース４１内に挿入される。
【００２７】
また、上記本体ケース４１は、他方の端部が開口しており、この開口部の内側にネジ溝（図示せず）が形成され、このネジ溝にネジ形コネクタ４２が螺着される。
【００２８】
上記ネジ形コネクタ４２は、前後両端の外周にネジ部４２１、４２２が形成されており、後端側のネジ部４２２が本体ケース４１に防水パッキン４３を介在して螺着される。また、ネジ形コネクタ４２は、中央部外周がリング状に突出して形成され、その外周部位に１８０°の間隔で、すなわち対称となる２つの位置にスパナ掛け４２３が設けられる。
【００２９】
上記ネジ形コネクタ４２及び本体ケース４１の内側には、中心コンタクト保持構体４４ａ、４４ｂにより保持された中心コンタクト４５が装着される。中心コンタクト保持構体４４ａ、４４ｂは、絶縁体によりネジ形コネクタ４２及び本体ケース４１の内側形状に合わせて形成され、中心コンタクト４５を挟んで保持する。この場合、ネジ形コネクタ４２の開口先端部に防水パッキン４６を装着し、中心コンタクト４５の先端を中心位置に保持すると共に防水機能を持たせている。
【００３０】
また、中心コンタクト保持構体４４ａ、４４ｂの形状は、本体ケース４１内に挿入される端部を接合面４１１の傾斜に合わせて斜めに形成すると共に、接合面４１１の結合穴４１２から挿入される第１接栓体３０側の部材、すなわち本体ケース３１の結合用突部３１２、係合片３１３、及び中心ピン３６の先端部との関係を考慮したものになっている。
【００３１】
上記中心コンタクト保持構体４４ａ、４４ｂには、相対向する面に複数の結合突起４４１及び結合穴４４２が対応して設けられ、結合突起４４１を結合穴４４２に圧入することによって一体に結合される。
【００３２】
上記中心コンタクト４５は、弾性を有する１対の金属板からなり、一方の端部はネジ形コネクタ４２の開口端部の中心に位置して外部コネクタ（図示せず）の中心導体と電気的に接続される。また、中心コンタクト４５の他方の端部は、本体ケース４１の接合面４１１と平行となるように折り曲げられ、先端部が中心コンタクト保持構体４４ａ、４４ｂより突出して設けられる。上記中心コンタクト４５の先端部は、１対の金属板が所定の間隔を保って対向配置されると共に、それぞれ半円状に形成されて中心ピン結合部４５１を構成しており、第１接栓体３０と第２接栓体４０とを結合した際に、本体ケース４１の接合面４１１に設けた結合穴４１２から挿入される第１接栓体３０の中心ピン３６の先端を挟持して電気的に接続する。そして、第１接栓体３０と第２接栓体４０とを相対的に回転させた場合、第２接栓体４０の中心コンタクト４５は、中心ピン結合部４５１が第１接栓体３０の中心ピン３６に摺接した状態で回転し、中心ピン３６と電気的な接続状態を保持する。
【００３３】
上記の構成において、第１接栓体３０及び第２接栓体４０は、それぞれ別個に組み立てを行った後、防水パッキン３３を介在させて結合する。この場合、第１接栓体３０における本体ケース３１の結合用突部３１２に設けた係合片３１３を第２接栓体４０における本体ケース４１の接合面４１１に設けた結合穴４１２の位置を合わせ、係合片３１３を結合穴４１２から本体ケース４１内に挿入すると共に、結合用突部３１２から突き出ている中心ピン３６の先端を中心コンタクト４５の中心ピン結合部４５１に挟持させ、両者を電気的に接続する。
【００３４】
この状態で、第１接栓体３０に対して第２接栓体４０を任意の方向に少し回転させると、本体ケース３１の結合用突部３１２に設けた係合片３１３と本体ケース４１の接合面４１１に設けた結合穴４１２の位置がずれ、係合片３１３の裏面が本体ケース４１の接合面４１１の裏面に係合する。また、結合用突部３１２に設けた係合片３１３の裏面側に中心コンタクト保持構体４４ａ、４４ｂの先端の一部が位置し、係合片３１３を保持する。この結果、第１接栓体３０と第２接栓体４０とは、確実に結合した状態となり、相互に回転しても結合状態に保持される。
【００３５】
図４には、上記説明に係り、第１接栓体と第２接栓体の相互回転における結合状態の詳細が示されている。
【００３６】
また、第１接栓体３０側の中心ピン３６の先端は、第２接栓体４０の中心コンタクト４５に設けた中心ピン結合部４５１に結合され、第１接栓体３０に対して第２接栓体４０を任意の方向に回転しても電気的接続状態に保持される。
【００３７】
上記のように本体ケース３１の接合面３１１及び本体ケース４１の接合面４１１を略４５度の角度で傾斜させて形成し、かつ、それぞれの接合面３１１、４１１の中心軸を回転軸として３６０度回転できるように構成することにより、接栓の形状をストレート形やＬ形等に変形して接栓方向に任意に調整することができる。
【００３８】
図５は第１接栓体３０を固定した状態で第２接栓体４０を回転した場合の例を示したもので、（ａ）は第１接栓体３０と第２接栓体４０をストレート形としたときの状態、（ｂ）は上記ストレート形から第２接栓体４０を時計方向に９０度回転させた状態、（ｃ）は更に第２接栓体４０を時計方向に９０度回転させたときの状態を示している。
【００３９】
図５に示したように第１接栓体３０を固定した状態で第２接栓体４０を回転した場合、第２接栓体４０の回転角度を変えることにより、第２接栓体４０の方向を任意に調整することができる。
【００４０】
図６は本発明の実施例１に係る接栓１００Ａ、１００Ｂを分配器１０に接続した場合の接続形態例を示したものである。
【００４１】
上記接栓１００Ａ、１００Ｂは、それぞれナット形コネクタ３２が分配出力端子１２、１３に螺着される。そして、図５では、一方の接栓１００Ａのネジ形コネクタに差し込み式ストレート形接栓１１１を接続し、他方の接栓１００Ｂのネジ形コネクタにねじ込み式ストレート形接栓１１２を接続した場合を例として示している。
【００４２】
また、図６では、一方の接栓１００Ａは他方の接栓１００Ｂに当接しないように第１接栓体と第２接栓体とを略９０度に近い角度に調整した場合、他方の接栓１００Ｂは第１接栓体と第２接栓体とを９０度に調整した場合を示している。
【００４３】
上記実施例１に示したように第１接栓体３０の軸に対し、４５度傾けた軸を持つ第２接栓体４０を回転可能に設けることにより、高周波の電気特性を安定に保ちつつ接栓方向を容易に調整することができ、また、防水構造とすることにより屋内、屋外を問わずに使用することができる。
【００４４】
なお、上記実施例１では、第１接栓体３０をナット形コネクタ３２、第２接栓体４０をネジ形コネクタ４２とした場合について示したが、その他、図６に示すように第１接栓体３０を差し込み式コネクタ３２Ａとしてもよい。
【００４５】
また、本発明は、上記実施の形態そのままに限定されるものではなく、実施段階ではその要旨を逸脱しない範囲で構成要素を変形して具体化できるものである。
【符号の説明】
【００４６】
３０…第１接栓体、３１…本体ケース、３２…ナット形コネクタ、３２Ａ…差し込み式コネクタ、３２Ｂ…ネジ形コネクタ、３３、３４…防水パッキン、３５ａ、３５ｂ…中心ピン保持構体、３６…中心ピン、４０…第２接栓体、４１…本体ケース、４２…ネジ形コネクタ、４３…防水パッキン、４４ａ、４４ｂ…中心コンタクト保持構体、４５…中心コンタクト、４６…防水パッキン、１００、１００Ａ、１００Ｂ、１１０…接栓、１１１…差し込み式ストレート形接栓、１１２…ねじ込み式ストレート形接栓、３１１…接合面、３１２…結合用突部、３１３…係合片、３１４…溝、３２１…ナット保持体、３２２…Ｏリング、３２３…ナット、３２４…ネジ部、３５１…溝、３５２…中心ピン保持構体の端部、３５３…結合穴、４１１…接合面、４１２…結合穴、４２１、４２２…ネジ部、４４１…結合突起、４４２…結合穴、４５１…中心ピン結合部。
【図１】
2010257696.tif 000003
【図２】
2010257696.tif 000004
【図３】
2010257696.tif 000005
【図４】
2010257696.tif 000006
【図５】
2010257696.tif 000007
【図６】
2010257696.tif 000008
【図７】
2010257696.tif 000009
【図８】
2010257696.tif 000010
【図９】
2010257696.tif 000011